(57)【要約】【課題】資源の浪費を防いで消費者の支出を減らすことができる上、環境汚染を防ぐ電源装置が交換可能なＬＥＤランプを提供する。【解決手段】電源装置が交換可能なＬＥＤランプは、ＬＥＤランプ体１と、ＬＥＤランプ体１の両端にそれぞれ配置された複数の電源装置とを備える。電源装置は、電源カバーと、電源カバー中に配置された電源と、電源カバーに掛止された電源カバー蓋とを有する。ＬＥＤランプ体１は、後蓋１０と、透明カバー１１と、ＬＥＤメインボード１２と、複数の挿入ピン１３１が設けられた複数のＬＥＤランプ体蓋１３と、複数の電源メインボード１４とを有する。電源カバーの底面には、複数の挿入孔が設けられている。電源カバー蓋は、ＬＥＤランプホルダに挿設する接続ピンを有する。接続ピンは、電源と電気的に接続される。電源カバーの底面縁部には、嵌合凸部が設けられている。ＬＥＤランプ体蓋１３は、複数のネジ孔を有し、ＬＥＤランプ体１の両端へそれぞれ螺合される。【選択図】図２
0003178944.tif 000002
【実用新案登録請求の範囲】
【請求項１】
ＬＥＤランプ体と、
該ＬＥＤランプ体の両端にそれぞれ着脱可能に配置された電源装置と、を備えることを特徴とする電源装置が交換可能なＬＥＤランプ。
【請求項２】
前記電源装置は、電源カバーと、前記電源カバー中に配置された電源と、前記電源カバーに着脱可能に掛止された電源カバー蓋と、を有することを特徴とする請求項１に記載の電源装置が交換可能なＬＥＤランプ。
【請求項３】
前記ＬＥＤランプ体は、後蓋と、該後蓋に接合される透明カバーと、内装されるＬＥＤメインボードと、複数の挿入ピンが設けられた両端のＬＥＤランプ体蓋と、両端のＬＥＤランプ体蓋より内側の電源メインボードと、を有することを特徴とする請求項１に記載の電源装置が交換可能なＬＥＤランプ。
【請求項４】
前記電源カバーの底面には、複数の挿入孔が設けられ、該挿入孔は前記ＬＥＤランプ体蓋に設けられた挿入ピンが貫設することを特徴とする請求項２に記載の電源装置が交換可能なＬＥＤランプ。
【請求項５】
前記電源カバー蓋は、ＬＥＤランプホルダに挿設する接続ピンを有し、
該接続ピンは、前記電源と電気的に接続されることを特徴とする請求項２に記載の電源装置が交換可能なＬＥＤランプ。
【請求項６】
前記電源カバーの底面縁部には、嵌合凸部が設けられ、前記ＬＥＤランプ体蓋に設けられた凹溝に嵌合することを特徴とする請求項２に記載の電源装置が交換可能なＬＥＤランプ。
【請求項７】
前記ＬＥＤランプ体蓋は、複数のネジ孔を有し、前記ランプ体の両端へそれぞれ螺合されることを特徴とする請求項３に記載の電源装置が交換可能なＬＥＤランプ。
【請求項８】
前記電源メインボードは、前記ＬＥＤメインボード及び前記挿入ピンとそれぞれ電気的に接続されることを特徴とする請求項３に記載の電源装置が交換可能なＬＥＤランプ。
【考案の詳細な説明】
【技術分野】
【０００１】
本考案は、ＬＥＤ蛍光灯に関し、特に、電源装置が交換可能なＬＥＤランプに関する。
【背景技術】
【０００２】
ＬＥＤランプは、長寿命、省エネ、安全などの長所を有するため、応用範囲が次第に広がってきている。しかしＬＥＤランプの駆動電源の使用寿命は、ＬＥＤの使用寿命と大きく異なり、ＬＥＤの使用寿命が一般に約１０万時間であるのに対し、ＬＥＤに電気を供給する駆動電源の使用寿命は約２万時間ほどしかない。
【０００３】
従来のＬＥＤランプの駆動電源は、ランプ体中へ一旦取り付けると取り外すことができないため、駆動電源が損壊した場合、ＬＥＤランプが損壊していなくとも、ランプ本体とともに廃棄しなければならないため、資源が浪費されるとともに、大量の廃棄物が自然分解されずに環境を汚染させる虞がある。
【考案の概要】
【考案が解決しようとする課題】
【０００４】
本考案の目的は、ＬＥＤランプ体及び複数の電源装置を含み、ＬＥＤランプ体の両端に複数の電源装置が配置された構成にすることにより、電源装置が損壊したときに、ＬＥＤランプ全体を廃棄せずに電源装置を交換し、資源の浪費を防いで消費者の支出を減らし、従来のＬＥＤ蛍光灯で発生していたように、駆動電源が損壊した場合にランプ全体を廃棄することにより大量の廃棄物が発生して環境を汚染させることを防ぐことができる電源装置が交換可能なＬＥＤランプを提供することにある。
【課題を解決するための手段】
【０００５】
上記課題を解決するために、本考案の第１の形態によれば、ＬＥＤランプ体と、該ＬＥＤランプ体の両端にそれぞれ着脱可能に配置された電源装置と、を備えることを特徴とする電源装置が交換可能なＬＥＤランプが提供される。
【０００６】
また、前記電源装置は、電源カバーと、前記電源カバー中に配置された電源と、前記電源カバーに掛止された電源カバー蓋と、を有することが好ましい。
【０００７】
また、前記ＬＥＤランプ体は、後蓋と、該後蓋に接合される透明カバーと、内装されるＬＥＤメインボードと、複数の挿入ピンが設けられた両端のＬＥＤランプ体蓋と、両端のＬＥＤランプ体蓋より内側の電源メインボードと、を有することが好ましい。
【０００８】
前記電源カバーの底面には、複数の挿入孔が設けられ、該挿入孔は前記ＬＥＤランプ体蓋に設けられた挿入ピンが貫設することが好ましい。
【０００９】
また、前記電源カバー蓋は、ＬＥＤランプホルダに挿設する接続ピンを有し、該接続ピンは、前記電源と電気的に接続されることが好ましい。
【００１０】
前記電源カバーの底面縁部には、嵌合凸部が設けられ、該嵌合凸部は前記ＬＥＤランプ体蓋に設けられた凹溝に嵌合することが好ましい。
【００１１】
また、前記ＬＥＤランプ体蓋は、複数のネジ孔を有し、前記ＬＥＤランプ体の両端へそれぞれ螺合されることが好ましい。
【００１２】
また、前記電源メインボードは、前記ＬＥＤメインボード及び前記挿入ピンとそれぞれ電気的に接続されることが好ましい。
【考案の効果】
【００１３】
本考案によれば、複数の電源装置が損壊したり、電源を完全に使い果たしたりした場合、複数の挿入ピンから古い電源装置を取り出して新しい電源装置へ簡単に交換することができるため、正常に作動しているＬＥＤランプ体を廃棄する必要がない。そのため、資源の浪費を防ぐことができる上、ユーザの支出を減らすことができる。
【図面の簡単な説明】
【００１４】
【図１】本考案の一実施形態に係る電源装置が交換可能なＬＥＤランプを示す斜視図である。
【図２】本考案の一実施形態に係る電源装置が交換可能なＬＥＤランプを示す分解斜視図である。
【図３】本考案の一実施形態に係る電源装置が交換可能なＬＥＤランプの電源装置を示す分解斜視図である。
【符号の説明】
【００１５】
１  ＬＥＤランプ体
２  電源装置
１０  後蓋
１１  透明カバー
１２  ＬＥＤメインボード
１３  ＬＥＤランプ体蓋
１４  電源メインボード
２１  電源
２２  電源カバー
２３  電源カバー蓋
１２１  ＬＥＤ
１３１  挿入ピン
１３２  凹溝
２２１  挿入孔
２３１  接続ピン
【考案を実施するための形態】
【００１６】
以下、本考案の実施形態について図に基づいて説明する。なお、これによって本考案が限定されるものではない。
【００１７】
図１〜図３を参照して本考案を説明する。図１は、本考案の一実施形態に係る電源装置が交換可能なＬＥＤランプを示す斜視図である。図２は、本考案の一実施形態に係る電源装置が交換可能なＬＥＤランプを示す分解斜視図である。図３は、本考案の一実施形態に係る電源装置が交換可能なＬＥＤランプの電源装置を示す分解斜視図である。
【００１８】
図１〜図３に示すように、本考案の一実施形態に係る電源装置が交換可能なＬＥＤランプは、少なくともＬＥＤランプ体１及びその両端の電源装置２から構成される。電源装置２は、ＬＥＤランプ体１の両端にそれぞれ配置される。ＬＥＤランプ体１は、後蓋１０、透明カバー１１、ＬＥＤメインボード１２、その両端のＬＥＤランプ体蓋１３及び該ランプ体蓋１３の内側の電源メインボード１４を含む。ＬＥＤメインボード１２は、複数のＬＥＤ１２１を含むとともに、後蓋１０と透明カバー１１との間に配置され、ネジにより透明カバー１１を後蓋１０に固定する。後蓋１０の固定方式は、本実施方式ではネジを利用しているが、本考案はこの態様だけに限定されるわけではなく、他の固定方式を利用してもよい。ＬＥＤランプ体１は、後蓋１０と透明カバー１１との接合により構成されている。透明カバー１１は、後蓋１０に設置されている。ＬＥＤランプ体１の両端末端部には、それぞれ電源メインボード１４が配置され、それぞれの電源メインボード１４とＬＥＤランプ体１の両端末端部とが接合されている。両端の電源メインボード１４は、ＬＥＤメインボード１２及びそれぞれのＬＥＤランプ体蓋１３と電気的に接続されている。両端のＬＥＤランプ体蓋１３には、複数の挿入ピン１３１が設けられている。複数の挿入ピン１３１は、導電可能であり、それぞれの電源装置２へ挿設し、両端のＬＥＤランプ体蓋１３には、ネジ孔が設けられている。両端のＬＥＤランプ体蓋１３は、両端から外れることを防ぐために、ＬＥＤランプ体１の両端へ掛止される。本実施形態では、両端のランプ体蓋をネジにより固定しているが、本考案はこの態様だけに限定されるわけではない。
【００１９】
本実施形態の電源装置２は、電源２１、電源カバー２２及び電源カバー蓋２３を含む。電源２１は、電源カバー２２中に配置される。電源カバー蓋２３は、電源カバー２２に掛止される。電源カバー蓋２３と電源カバー２２とは他の方式により固定してもよい。電源２１は、電源カバー蓋２３と電源カバー２２とにより形成された密閉空間に設置され、電源２１が水分や塵に接触して電源２１の正常な動作に悪影響を与えることを防ぐ。電源カバー２２の底面には、複数の挿入孔２２１が設けられている。複数の挿入孔２２１の数と、両端のＬＥＤランプ体蓋１３上に設けられた複数の挿入ピン１３１の数とは同じであり互いに対応した箇所に形成されている。複数の挿入ピン１３１は、複数の挿入孔２２１に貫設させて電源２１に接続させる。電源カバー蓋２３は、ランプホルダに挿設する接続ピン２３１に導電させるために用い、接続ピン２３１と電源２１とを電気的に接続する。両端のＬＥＤランプ体蓋１３の縁部には、凹溝１３２が設けられている。電源カバー２２の底面縁部には、嵌合凸部（図示せず）が設けられている。凹溝１３２と嵌合凸部とを嵌合させ、両端の電源装置２を両端のランプ体蓋１３の複数の挿入ピン１３１へ挿設させることにより、両端の電源装置２が回動することを防ぐ。
【００２０】
両端の電源装置２が損壊したり、電源２１を完全に使い果たしたりした場合、複数の挿入ピン１３１から古い電源装置２を抜き出して新しい電源装置２へ簡単に交換することができるため、正常に作動しているＬＥＤランプ体１を廃棄する必要がない。そのため、資源の浪費を防ぐことができる上、ユーザの支出を減らすことができる。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【図１】
0003178944.tif 000003
【図２】
0003178944.tif 000004
【図３】
0003178944.tif 000005
【手続補正書】
【提出日】平成24年8月7日(2012.8.7)
【手続補正１】
【補正対象書類名】実用新案登録請求の範囲
【補正対象項目名】請求項４
【補正方法】変更
【補正の内容】
【請求項４】
前記電源カバーの底面には、複数の挿入孔が設けられ、該挿入孔は前記ＬＥＤランプ体蓋に設けられた挿入ピンが貫設することを特徴とする請求項３に記載の電源装置が交換可能なＬＥＤランプ。